(57)【特許請求の範囲】
【請求項１】
伸縮性と柔軟性のあるエラストマーの素材で形成される足指間パッドであって、
足指の親指に嵌める大径嵌合リング部と中指に嵌める小径嵌合リング部を設け、これらの嵌合リング部を連結する基礎部を設けて、人差し指をリング間で挟むように装着するとともに、該基礎部の中指近傍から足裏中央に延びる舌状部を設け、
該舌状部の先端部の足裏中央で母指球近傍に突起部を設け、該突起部と中指とを結ぶ線は使用者が真っ直ぐに歩行するときの方向と一致させるとともに、該突起部によって足裏に縦アーチを形成させ、かつ、該突起部が足裏のツボを押し圧して刺激するようにしたことを特徴とする足指間パッド。
【請求項２】
前記エラストマーには伸縮性に富んだスチレン系エラストマーであることを特徴とする請求項１に記載の足指間パッド。
【請求項３】
前記エラストマーには銀系無機抗菌剤を含有させたことを特徴とする請求項１又は２に記載の足指間パッド。
【発明の詳細な説明】
【技術分野】
【０００１】
本発明は、足指に装着して、直立した姿勢及び歩行姿勢を矯正して、歩行時、運動時に良い姿勢が保たれ運動効率を向上させ、同時に足裏を刺激する突起部を設けた指間パッドに関するものである。
【背景技術】
【０００２】
従来より、足指間にパッドを挟む足指パッドは多く提案されており、例えば、足指の血行促進等のために足指間にパッドを挟む足指パッドは特許文献１の特開２００８−１２０７７号等に提案されており、この足指パッドは隣接の足指間に挿入する円柱形のパッド本体を紐状体でつないでいる。また、革靴内で蒸れる足指を抗菌および防臭し、足指の汗による不快感を除くために特許文献２の登録実用新案第３０２１０９６号が提案されているが、この足指パッドは、いずれも足指の付け根部の下側に配置するが、足指間に入り込むパッドは４本ではあるが、いずれも短冊状の板体である。
これらの足指間にパッドを挟む形式のものは、指から外れやすいため、隣り合う指に足指リングを設けて、隣り合う足指間にパッドを設けたものも、外反母趾の矯正等の変形に対する矯正、ないし予防の足指補助用具として、例えば、特許文献３の特開2007-313043号が提案されている。
【０００３】
上記の足指パッドは、足指の血行促進や足指の変形の矯正、ないし予防のためで、姿勢の矯正や身体のバランスを安定させるものではない。
そこで、足先支持パッドを身体のバランスが安定化する足先支持パッドとして、特許文献４の特開２０１３−１２３２０２号公報も提案されている。
この足指パッドは、足指に装着して足指の間に指間パッド部を介在させ、直立した姿勢及び歩行姿勢を矯正して、歩行時、運動時に良い姿勢を保つ足指間パッドで、足の親指に嵌合し指である人差し指との指間パッド部となる大径の嵌合リング部を設け、薬指に嵌合し中指及び小指との指間パッド部となる小径の嵌合リング部を設け、両リングを繋ぎ足裏に位置する基礎部を設け、人差し指と中指とを嵌合し、その中間位置に人差し指と中指で挟むように突出する指間パッド部となる突出部を設け、基礎部及び両嵌合リング部の指挿入側は各指の付け根に接するように湾曲する嵌合アーチ部を形成し、大径の嵌合リング部の底厚より、小径の嵌合リング部の底厚を厚くし、小指及び中指側の床からの高さが親指側の高さよりも若干高くした足指間パッドである。
また、特許文献５の特開２００９−２５４６８０号公報には、指の付け根に足指用器具を嵌め込み、踏ん張り力を鍛えることが開示されている。
【先行技術文献】
【特許文献】
【０００４】
【特許文献１】特開２００８−１２０７７号公報
【特許文献２】登録実用新案第３０２１０９６号号公報
【特許文献３】特開２００７−３１３０４３号公報
【特許文献４】特許第５６４６００６号公報
【特許文献５】特開２００９−２５４６８０号公報
【発明の概要】
【発明が解決しようとする課題】
【０００５】
前掲の特許文献４の足指間パッドは、第２指(人差し指）と第３指(中指)との間には指間パッドを介在させるだけなので、中指の方向が安定せずに踏み出し方向が多少蛇行することがあった。また、ツボを刺激するようなことも無かった。特許文献５は、指間拡幅部が凸状であるので、足から抜け落ち易いといった問題点があった。
本発明は、前述の問題点に鑑みなされたもので、足指から抜け落ちることがなく、歩行方向を真っすぐにし、足裏の縦アーチの形成が十分にして、バランスの良い姿勢を保つ力が生まれ、歩行時、運動時に良い姿勢が保たれ運動効率が向上する足指間パッドを提供しようとするものである。
さらに、足裏中央で母指球近傍に突起部を設け、リンパと甲状腺もツボを刺激するようにした足指間パッドを提供しようとするものである。
【課題を解決するための手段】
【０００６】
上記課題を解決するために、請求項１の発明は、伸縮性と柔軟性のあるエラストマーの素材で形成される足指間パッドであって、
足指の親指に嵌める大径嵌合リング部と中指に嵌める小径嵌合リング部を設け、これらの嵌合リング部を連結する基礎部を設けて、人差し指をリング間で挟むように装着するとともに、該基礎部の中指近傍から足裏中央に延びる舌状部を設け、
該舌状部の先端部の足裏中央で母指球近傍に突起部を設け、該突起部と中指とを結ぶ線は使用者が真っ直ぐに歩行するときの方向と一致させるとともに、該突起部によって足裏に縦アーチを形成させ、かつ、該突起部が足裏のツボを押し圧して刺激するようにしたことを特徴とする足指間パッドである。
請求項２の発明は、前記エラストマーには伸縮性に富んだスチレン系エラストマーであることを特徴とする請求項１に記載の足指間パッドである。
請求項３の発明は、前記エラストマーには銀系無機抗菌剤を含有させたことを特徴とする請求項１又は２に記載の足指間パッドである。
【発明の効果】
【０００７】
請求項１の足指間パッドの発明によれば、第３指の中指を小径の円形リング部を嵌め、舌状部の突起部で足裏に圧接することで、中指に嵌めた小径の円形リング部を意識し易くなり、中指の方向が無意識に歩行方向の正面方向を向き、これに伴って膝頭も正面を向くようになる。この結果、Ｏ脚(がに股)や、Ｘ脚(内股)の改善が期待でき、正しい歩行でバランスの良い姿勢を保つ力が生まれる。また、呼吸も大きくなり代謝も上がり、正しい姿勢で運動効率が上がるという効果が得られる。
また、長く足裏中央に延びる舌状部の上に突起部を設けたので、前記の上述第３指の中指を小径の円形リング部の方向を固定するとともに、突起部によって確実に足裏に縦アーチＧが形成されて確実に地面や靴底を掴むことができ、更に、舌状部の突起部によりリンパと甲状腺もツボを刺激することになる。
更に、足指の付け根部に嵌め込むので、足をしっかり踏ん張ることができ、歩行時に足への衝撃が緩和されるため、膝痛や股関節痛の強い痛みを緩和できる。したがって、歩行時、運動時に良い姿勢が保たれ運動効率が向上し、結果として、この足部パッドを嵌めるだけで身体の首部や肩部などの疲れが軽減する。
【０００８】
請求項２の足指間パッドの発明によれば、前記エラストマーを伸縮性に富んだスチレン系エラストマーとしたので、男女を問わず大概のサイズに合うようにできる。
請求項３の足指間パッドの発明によれば、材質のエラストマーに抗菌性や防臭性を有するので、衛生的な足指間パッドとなる。                            
【図面の簡単な説明】
【０００９】
【図１】本発明の実施例１を右足用の足指間パッドを右足指に装着した状態の斜射図、
【図２】図２(ａ)は、右足用の足指間パッドを装着した状態の断面図であり、図２(ｂ)は、右足用の足指間パッドを装着した足裏からの底面図、
【図３】図３(a)は、右足用の足指間パッドの上から平面図、図３(b)は(a)で１５°傾けた状態での正面図、
【図４】図３(ａ)でのＡ−Ａ線での縦断面図、
【図５】図４のリングを嵌めた状態の足先から踵部の縦断面図、
【図６】本発明の実施例１製品である足指間パッドの実物を斜め上方からの写真、
【図７】[実験１]の「目隠しベース歩行測定」の結果の図
【図８】[実験２]の「目隠し足踏み体幹測定」の結果の図
【図９】本発明の実施例２を右足用の足指間パッドを右足指に装着した状態の斜射図、
【図１０】図１０(ａ)は、右足用の足指間パッドを装着した状態の断面図であり、図１０(ｂ)は、右足用の足指間パッドを装着した足裏からの底面図、
【図１１】図１１(a)は、実施例２の右足用の足指間パッド上から平面図、図１１(b)は(a)で１５°傾けた状態での正面図、
【図１２】図１１(ａ)でのＢ−Ｂ線での縦断面図、
【図１３】本発明の実施例２製品である足指間パッドの実物を斜め上方からの写真、
【図１４】筋力稼働量の測定箇所の図である。
【発明を実施するための形態】
【００１０】
本発明の足指間パッドは、足の親指と中指と小指に嵌合する嵌合リング部(実施例１)、又は足の親指と中指に嵌合する嵌合リング部(実施例２)を設け、共に中指近傍から踵方向に延びる舌状部を設けることで、所期の目的を達成した。以下に、
好適な足指間パッドの実施例図面を参照して説明する。
【実施例１】
【００１１】
まず、本発明の実施例１を図１から図９を参照して説明する。
図１は、本発明の実施例１の右足用足指間パッド１を右足指に装着した状態の斜視図である。足指間パッド１の材質・素材は伸縮性・柔軟性・弾力性があるエラストマーで、本実施例の足指間パッド１はスチレン系エラストマーで充分に伸縮性・柔軟性・弾力性があり男女の足のサイズを問わず大概の足指にフィットする。また、エラストマーには銀系無機抗菌剤を含有させ抗菌性や防臭性を有する衛生的な足指間パッドとなる。
図１及び図２(ａ)において、第１指ａである親指に親指用の大径の円形リング部３を挿入して嵌合し、第３指ｃの中指と、第５指ｅの小指とに小径の嵌合リング部４を挿入して嵌合し、図２(a)の右足用の足指間パッド１を装着した状態の中間高さでの断面図に示すように、第２指ｂの人差し指と第４指ｄの薬指をリング間で挟むように装着する。したがって、５本の足指間の全てに指間パッド部を介在するのようになる。
【００１２】
この足指間パッド１の装着方法と装着位置を、図２(ｂ)の右足用の足指間パッドを装着した足裏からの底面図で説明すると、足指間パッド１の基礎部２は床に接地するほぼ水平な足裏面２１が設けられ、一端には親指用の大径の嵌合リング部３、他端には小指用の小径の嵌合リング部５、及び、前記嵌合リング部３と嵌合リング部５の間には中指用の小径の円形(嵌合)リング部４が配置され、これらのリング部３，４，５は、足指間パッド１の足指付け根部(f1,f2,f3,f4)側に接する部分の奥まで挿入する。
【００１３】
次に、更に足指間パッド１の構成の詳細を、図３、図４に沿って説明する。
図３(a)は、右足用の足指間パッド１の上から見た平面図で、図３(b)は(a)で１５°傾けた状態での正面図である。これは、第１指である親指の向きに対して、他の４本の向きは同じであっても、足指の付け根は水平位置ではなく、平均で約１５°傾いているので、これに合わせて図３のように１５°に人差し指以下４本の足指の付け根を配置すれば、気持ちよく足指間パッド１が足指にフィットするようになる。
足指間パッド１の親指側から小指までの幅は、靴のサイズと同様に、この前後の幅を用意しておいても良い。
基礎部２の左側端には第１指(親指)ａ用の大径の円形リング部３を設け、この大径の円形リング部３は足の第１指(親指)ａに嵌合して確実に足指間パッド１に固定するとともに、この大径の嵌合リング部３の側部３１が第２指bとの指間パッド部Ｐ１を形成する。
この大径の嵌合リング部３の内径は、Ｘ１＝１６mm程度で側部の厚さは３mm程度であるが、前述したように、足指間パッド１自体の素材が伸縮性・柔軟性・弾力性に富んだシリコンのエラストマーであるので、通常の人の親指に装着できるとともに、側部３１が指間パッド部Ｐ１ともなる。
なお、大径の嵌合リング部３の内径を１６mm程度としたが、装着する人が苦痛を感じない程度の１４〜２０mmの間で適宜設定すればよい。
また、大径嵌合リング部３の外側の幅は２０mm程度であり、第２指ｂに接する内側の長さ方向の幅は１５mm程度である。
足指の装着に際しては、先ず、この第１指(親指)ａ用の大径の円形リング部３
を親指に嵌めれば装着は容易である。
【００１４】
次に、図３(ｂ)で、基礎部２の前記親指用の大径嵌合リング部３と(小指用)ｄの小径円形リング部５の中間部に設けられた、独立した第３指(中指)cに中指用の小径の円形(嵌合)リング部４に親指に嵌める。
最後に、基礎部２の右側端に第５指(小指用)ｄの小径の円形リング部５を設けられているが、この小径の円形リング部５は足指の第５指(小指)ｅに嵌合し足指間パッド１の装着は完成する。
このように確実に足指間パッド１に固定すると、前記指間パッド部Ｐ１に加えて、中指用の小径嵌合リング部４の両側部４１、４２が第２指(人差し指)ｂと第３指(中指)ｃとの間に指間パッド部Ｐ２が形成され、第３指(中指)ｃと第４指(薬指)ｄとの間に指間パッド部Ｐ３を形成される。更に、小指用の小径嵌合リング部５の内側測部５１が第４指(薬指)ｄと第５指(小指)ｅとの間に指間パッド部Ｐ４が形成され、５本の足指間の全てに指間パッド部を介在するのようになる。なお、小径嵌合リング部５の外側側部５２はなるべく薄くしたほうが苦痛を与えない。
【００１５】
この小径の嵌合リング部４、５の内径はＸ2,3=１１mm程度で側部４１の厚さは５mm程度であるが、前述したように、足指間パッド１自体の素材が伸縮性・柔軟性・弾力性に富んだシリコンのエラストマーであるので、通常の人の親指に装着できるとともに、側部４１,４２、及び、内側側部５１が指間パッド部Ｐ２,Ｐ３,Ｐ４を構成する。
なお、小径の嵌合リング部４の内径を１１mm程度としたが、装着する人が苦痛を感じない程度の９〜１６mmの間で適宜設定すればよい。
また、小径の嵌合リング部４の第２指、第４指 に接する幅は１２mm程度であり、小径の嵌合リング部５の第４指 に接する幅は１５mm程度である。
【００１６】
図３(ｂ)に示すように、基礎部２は足裏に位置して下面が水平な足裏面２１が設けられ、親指用の大径の嵌合リング部３と小指用の小径の嵌合リング部５を繋いでおり、図３(ａ),図４に示すように、基礎部２の中央部から踵方向に延びる舌状部６を設け、舌状部６の先端部６１で母指球Ｂの側部近傍に位置する位置に突起部７を設け、また、該突起部７と第３指の中指とを結ぶ線は、使用者が真っ直ぐに歩行するときの方向と一致するように突起部７を配置する必要がある。更に、突起部７が足裏のツボ等を押し圧して刺激するようにしている。
この突起部７が圧接する足裏の箇所は、リンパと甲状腺もツボを刺激すると言われており、特に、肺、副腎に効くとされている。
この長く足裏中央に踵方向に延びる舌状部６の上の突起部７を設けたので、第３指の中指を小径の円形リング部４の方向を固定するとともに、図５に示すように、突起部７によって足裏に縦アーチＧが形成されて、確実に地面や靴底を掴むことができ、更に、突起部７により形成された横アーチも意識することで、舌状部６の縦アーチＧも意識するようになり、この突起部７がリンパと甲状腺もツボを刺激することになる。
【００１７】
本実施例１の全体形状は図６のようなものであり、第１指ａの親指、第３指ｃの中指、第５指ｅの小指が嵌合リング部によって基礎部２に固定され、第２指ｂの人差し指と第４指ｄの薬指は基本的に移動可能であるので、地面や床等に踏むときは各指は基礎部２を掴み纏まるように集まり、地面や床等から離れるときは各指はお互いに離反する方向に移動する。こうして、足指に適度の刺激が付与され、バランスの良い姿勢を保つように作用し、後述する実験２のように、同じ場所で目隠して足踏みをしても、ほぼ同じ場所で足踏みをするようになる。
【００１８】
また、実施例１の足指間パッドによれば、第３指の中指を小径の円形リング部を嵌め、舌状部の突起部で足裏に圧接することで、中指に嵌めた小径の円形リング部を意識し易くなり、中指の方向が無意識に歩行方向の正面方向を向き、これに伴って膝頭も正面を向くようになる。この結果、Ｏ脚(がに股)や、Ｘ脚(内股)の改善が期待でき、正しい歩行でバランスの良い姿勢を保つ力が生まれる。また、呼吸も大きくなり代謝も上がり、正しい姿勢で運動効率が上がるという効果が得られる。
【００１９】
このことを、以下の実験によって証明する。
[実験１]
[表１]は「目隠しベース歩行測定」の結果で、山梨リトルリーグの６歳から１２歳の１０人の被験者によって、目隠しをしてホームベースから１塁ベースまでの方向を確認してから、目隠しをして１塁までの距離を歩行させ声をかけて歩行を止めた時点での、本実施例の足指間パッドを装着しない場合と、装着した場合とでの一塁ベースまでの距離を測定した結果を表にしたものである。
【表１】
0006321093.tif 000002
表１の表からは、本実施例の装着前より装着後に方が１塁ベースに近く−値であるが、平均も１.４ｍも狭い範囲になっている。
図７は「目隠しベース歩行測定」の結果の図で、[表１]の結果の実際の位置関係を示したものであるが、停止位置が[装着前]では１塁ベースからのばらつきが大きいが、[装着後]では１塁ベースからのばらつきが小さくなり、蛇行が小さくなり、正しい方向に向かって真っ直ぐに歩行するようになっていることが判る
【００２０】
[実験２]
[表２]は目隠し足踏み体幹測定」の結果の表で、実験２と同じ６歳から１２歳の１０人の被験者によって、目隠しをして、所定の場(Ａ点)で３０秒間足踏みをして、その時点の所定の場(Ａ点)からの距離を計測した結果を表にしたものである。
【表２】
0006321093.tif 000003
図８は、表２の「目隠し足踏み体幹測定」の結果の実際の位置関係を示したものであるが、停止位置が[装着前]では中心の所定の場（Ａ点）からのばらつきが大きいが、[装着後]では中心の所定の場（Ａ点）からのばらつきが小さくなり、体幹がしっかりし、バランスの良い姿勢を保って足踏みをし、同じ場所で目隠して足踏みをしても、ほぼ同じ場所で足踏みをするようになる。
【００２１】
また、長く足裏中央に延びる舌状部の上に突起部を設けたので、前記の上述第３指の中指を小径の円形リング部の方向を固定するとともに、突起部によって確実に足裏に中指が持ち上げられ、突起部７により横アーチが形成されて確実に地面や靴底を掴むことができ、更に、舌状部の突起部により形成された縦アーチＧを意識することで、この突起部がリンパと甲状腺もツボを刺激することになる。
更に、基礎部２が足指付け根部に嵌め込まれるので、足指をしっかり踏ん張ることができ、歩行時に足への衝撃が緩和されるため、膝痛や股関節痛の強い痛みを緩和できる。したがって、歩行時、運動時に良い姿勢が保たれ運動効率が向上し、結果として、この足部パッドを嵌めるだけで身体の首部や肩部などの疲れが軽減する。
また、足指間パッドの材質をエラストマーとして、伸縮性に富んだスチレン系エラストマーとしたので、男女を問わず大概のサイズに合うようにでき、更に、材質のエラストマーに抗菌性や防臭性を有するようにすれば、衛生的な足指間パッドとなる。
【実施例２】
【００２２】
次に、本発明の実施例２を図９から図１３を参照して説明する。
実施例２の実施例１との大きな違いは嵌合リングが２つだけで、第４指の薬指と、第５指の小指は完全にフリーである点である。
図９は、実施例２の右足用の足指間パッド１を右足指に装着した状態の斜視図である。足指間パッド１の材質・素材は実施例１と同じであるので、詳細な説明は省略する。
図９及び図１１(ａ)において、第１指ａである親指に親指用の大径の円形リング部３を挿入して嵌合し、第３指ｃの中指に小径の嵌合リング部４を挿入して嵌合し、図１０(a)の右足用の足指間パッド１を装着した状態での断面図に示すように、第２指ｂの人差し指をリング間で挟むように装着する。したがって、第１指ａと第２指ｂとの間、第２指ｂと第３指ｃとの間、第３指ｃと第４指ｄとの間の３箇所で指間パッド部を介在するのようになる。
この足指間パッド１の装着方法と装着位置を、図１０(ｂ)の右足用の足指間パッドを装着した足裏からの底面図で説明すると、足指間パッド１の基礎部２は床に接地するほぼ水平な足裏面２１が設けられ、一端には親指用の大径の嵌合リング部３、他端には中指用の小径の嵌合リング部４とが配置され、これらのリング部３，４は、足指間パッド１の足指付け根部(f1,f2,f3)側に接する部分の奥まで挿入する。
【００２３】
ここで、実施例２の足指間パッド１に対する構成の詳細を、図１１、図１２に沿って説明する。
図１１(a)は、右足用の足指間パッド１の上から見た平面図で、図１１(b)は(a)で１５°傾けた状態での正面図である。これは、第１指である親指の向きに対して、他の２本の向きは同じであっても、足指の付け根は水平位置ではなく、平均で約１５°傾いているので、これに合わせて図１１のように１５°に人差し指以下４本の足指の付け根を配置すれば、気持ちよく足指間パッド１が足指にフィットするようになる。
足指間パッド１の親指側から小指までの幅は、靴のサイズと同様に、この前後の幅を用意しておいても良い。
基礎部２の左側端には第１指(親指)ａ用の大径の円形リング部３を設け、この大径の円形リング部３は足の第１指(親指)ａに嵌合して確実に足指間パッド１に固定するとともに、この大径の嵌合リング部３の側部３１が第２指bとの指間パッド部Ｐ１を形成する。
この大径の嵌合リング部３の内径は、実施例１と同様に、Ｘ１＝１６mm程度で側部の厚さは３mm程度であるが、足指間パッド１自体の素材が伸縮性・柔軟性・弾力性に富んだシリコンのエラストマーであるので、通常の人の親指に装着できるとともに、側部３１が指間パッド部Ｐ１ともなる。
なお、大径の嵌合リング部３の内径を１６mm程度としたが、装着する人が苦痛を感じない程度の１４〜２０mmの間で適宜設定すればよい。
また、大径の嵌合リング部３における外側の幅は２０mm程度であり、第２指ｂに接する内側長さ方向の幅は１５mm程度である。
足指の装着に際しては、先ず、この第１指(親指)ａ用の大径の円形リング部３
を親指に嵌めれば装着は容易であることも実施例１と同じである。
【００２４】
次に、図１１(ｂ)で、基礎部２の前記親指用の大径嵌合リング部３と、第３指(中指)cに中指用の小径の円形(嵌合)リング部４に親指に嵌めれば、足指間パッド１の装着は完成する。この構成は実施例１より簡単に足指に装着することができる。
このように確実に足指間パッド１に固定すると、前記指間パッド部Ｐ１に加えて、中指用の小径嵌合リング部４の両側部４１、４２が第２指(人差し指)ｂと第３指(中指)ｃとの間に指間パッド部Ｐ２が形成され、第３指(中指)ｃと第４指(薬指)ｄとの間に指間パッド部Ｐ３を形成される。
【００２５】
この小径の嵌合リング部４の内径は、実施例１と同様に、Ｘ２,３=１１mm程度で側部４１の厚さは５mm程度であるが、前述したように、足指間パッド１自体の素材が伸縮性・柔軟性・弾力性に富んだシリコンのエラストマーであるので、通常の人の親指に装着できるとともに、側部４１、及び、４２が指間パッド部Ｐ２,Ｐ３を構成する。
なお、小径の嵌合リング部４の内径を１１mm程度としたが、装着する人が苦痛を感じない程度の９〜１６mmの間で適宜設定すればよい。また、小径の嵌合リング部４の第２指、第４指 に接する幅は１２mm程度である。
【００２６】
図１１(ｂ)に示すように、基礎部２は足裏に位置して下面が水平な足裏面２１が設けられ、親指用の大径の嵌合リング部３と中指用の小径の嵌合リング部４を繋いでおり、図１１(ａ),図１２に示すように、基礎部２の中指の近傍から踵方向に延びる舌状部６を設け、舌状部６の先端部６１で母指球Ｂの側部近傍に位置する位置に突起部７を設け、また、該突起部７と第３指の中指とを結ぶ線は、使用者が真っ直ぐに歩行するときの方向と一致するように突起部７を配置する必要がある。更に、突起部７が足裏のツボ等を押し圧して刺激するようにしている。
この突起部７が圧接する足裏の箇所は、リンパと甲状腺もツボを刺激すると言われており、特に、肺、副腎に効くとされている。
この長く足裏中央に踵方向に延びる舌状部６の上突起部７を設けたので、第３指の中指を小径の円形リング部４の方向を固定するとともに、実施例１での図５を参照すれば、突起部７によって足裏に縦アーチＧが形成されて、確実に地面や靴底を掴むことができ、更に、突起部７により横アーチも意識することで、舌状部６の縦アーチＧも意識するようになり、この突起部７がリンパと甲状腺もツボ等の足裏ゾーン（図１０の符号Ｚ）を刺激することになる。
【００２７】
本実施例２の全体形状は図１３のようなものであり、第１指ａの親指、第３指ｃの中指が嵌合リング部によって基礎部２に固定され、第２指ｂの人差し指、第４指ｄの薬指、第５指eの小指は基本的に移動可能であるので、地面や床等に踏むときは各指は基礎部２を掴み纏まるように集まり、親指と人差し指のグリップ力がＵＰし、より内側体重になり、母指球付近の足裏ゾーンを刺激し重心を上昇させる作用し、地面や床等から離れるときは各指はお互いに離反する方向に移動する。こうして、足指に適度の刺激が付与され、バランスの良い姿勢を保つように作用し、実施例１と同じように同じ場所で目隠して足踏みをしても、ほぼ同じ場所で足踏みをするようになる。
【００２８】
また、本足指間パッドによれば、第３指の中指を小径の円形リング部を嵌め、舌状部の突起部で足裏に圧接することで、中指に嵌めた小径の円形リング部を意識し易くなり、中指の方向が無意識に歩行方向の正面方向を向き、この中指イングで１歩が真っ直ぐ踏み出せ、
これに伴って膝頭も正面を向くようになる。この結果、Ｏ脚(がに股)や、Ｘ脚(内股)の改善が期待でき、正しい歩行でバランスの良い姿勢を保つ力が生まれる。また、呼吸も大きくなり代謝も上がり、正しい姿勢で運動効率が上がるという効果が得られる。
したがって、実施例２には、実施例１での表１、表２の示すような実験値を示さないが、データ数は少ないが同様の結果が得られた。
また、普段鍛えられない箇所の筋肉稼働量が増加する。これを従来の本発明者が開発した前掲特許文献４の特許第５６４６００６号公報である足指間パッドと比較して説明する。
【００２９】
これを、図１４と[表３] とに沿って説明するが、[表３]は図１４の７箇所の筋（右側）に関しての筋力稼働量を計測したもので、製品を装着しない場合、従来品(特許第５６４６００６号公報の製品)を装着した場合、実施例２の製品を装着した場合のそれぞれにおいて、通常の歩行を行ってもらったときの４ストライド（注1）分の筋活動を表面筋電図法によって測定、記録した。筋活動は、積分することによって 数値化した。この値が大きいほど、筋の活動が大きいことを示す。 製品を装着しない場合の筋活動を１００％とし、従来品、実施例２の場合における筋活動を割合で求めた。なお、１スライドとは、歩行における片側の踵接地から、次の同側の踵接地までで、２歩分に相当する。
実験対象：成人女性(２０〜３０歳)３名、成人男性(２０〜３０歳)３名
合計６名の平均
測定器：日本光電社製マルチテレメーターシステム（WEB-5000）
表面筋電図ユニット仕様 
【表３】
0006321093.tif 000004
【００３０】
この測定値から判明したことは、従来品も実施例２も１００％以上の筋肉稼働量が増加することが判り、特に、足親指から踵へのラインの拇指外転筋が１１２％と従来品よりも大きく、前太ももの大腿直筋が１４６％、後太ももの大腿二頭筋が１１４％と従来品よりも大きくなる。
このことから、従来品と実施例２とを交互に使うことで、筋肉稼働域が広がるため、効率よく筋肉を稼働することができる。
また、実施例２の特徴は、実施例１と比べ足指間パッドの足指への装着が簡単であるあり、痛くなくても作用・効果はほぼ同じであることである。
なお、本発明の特徴を損なうものでなければ、上記の実施例に限定されるものでないことは勿論である。
【符号の説明】
【００３１】
ａ・・第１指(親指)、ｂ・・第２指(人差し指)、ｃ・・第３指(中指)、
ｄ・・第４指(薬指)、ｅ・・第５指(小指)、
ｆ１，ｆ２，ｆ３，ｆ４・・足指付け根部、
Ｂ・・母指球、Ｇ・・縦アーチ、
Ｐ１,Ｐ２,Ｐ３,Ｐ４・・指間パッド部、
１・・足指間パッド、
２・・基礎部、２１・・足裏面、
３・・親指用の大径の円形(嵌合)リング部、３１・・側部、
４・・中指用の小径の円形(嵌合)リング部、４１、４２・・・側部、
５・・小指用の小径の円形(嵌合)リング部、
５１・・内側側部、５２・・外側側部、
６・・舌状部、６１・・先端部、
７・・突起部
【図１】
0006321093.tif 000005
【図２】
0006321093.tif 000006
【図３】
0006321093.tif 000007
【図４】
0006321093.tif 000008
【図５】
0006321093.tif 000009
【図６】
0006321093.tif 000010
【図７】
0006321093.tif 000011
【図８】
0006321093.tif 000012
【図９】
0006321093.tif 000013
【図１０】
0006321093.tif 000014
【図１１】
0006321093.tif 000015
【図１２】
0006321093.tif 000016
【図１３】
0006321093.tif 000017
【図１４】
0006321093.tif 000018